(57)【特許請求の範囲】
【請求項１】
上方開口を有する容器本体と、
前記容器本体の上方開口を覆う蓋体と、
を備え、
前記容器本体は、前記蓋体と共に収容空間を画成する内壁部と、前記内壁部の外側に配置された外壁部と、を有し、
前記内壁部と前記外壁部との間には壁間空間が画成され、
前記内壁部には、前記収容空間と前記壁間空間とを連通する第１開口部と第２開口部とが形成され、
前記第２開口部は、前記第１開口部より下方に位置し、
前記内壁部の上端部には、横方向外向きに突き出るリング状のフランジ部が設けられ、
前記第１開口部は、前記フランジ部に設けられ、上方に向けて開口している
ことを特徴とする容器。
【請求項２】
前記内壁部の下方部は、前記第２開口部が形成された下方周縁部と、前記下方周縁部より内側に位置する下方中央部と、を有し、
前記下方中央部は、前記下方周縁部に対して上向きに突き出ている
ことを特徴とする請求項１に記載の容器。
【請求項３】
前記蓋体は、下向きに突き出る複数の微小突起を有する
ことを特徴とする請求項１または２に記載の容器。
【請求項４】
前記蓋体は、前記第１開口部に対向する第１環状部と、前記第１環状部の内周側に隣接して位置する第２環状部と、を有し、
前記第２環状部は、外周側端部の高さ位置が内周側端部の高さ位置より高くなるように傾斜している
ことを特徴とする請求項１〜３のいずれか一項に記載の容器。
【発明の詳細な説明】
【技術分野】
【０００１】
本発明は、容器本体と蓋体とを備えた容器に係り、特に食品を収容するための容器に関する。
【背景技術】
【０００２】
現在、加熱調理済みの食品を冷凍庫または冷蔵庫にて低温保存する際に、容器本体と蓋体とを備えた樹脂製の容器が便利に用いられている。
【０００３】
具体的には、例えば、食品を一度に多めに加熱調理した場合（例えば、ご飯を一度に多めに炊いた場合）、直近の食事時に食べない分は、樹脂製の容器に小分けに収納されて、冷凍庫または冷蔵庫にて低温保存される。そして、次回以降の食事時に、食べる分だけが容器ごと冷凍庫または冷蔵庫から取り出される。冷凍庫または冷蔵庫から取り出された加熱調理済みの食品（例えば、ご飯）は、低温保存により硬くなっていて食感が悪いため、通常、容器ごと電子レンジに入れられて解凍または再加熱され、柔らかくされてから食べられる。なお、加熱中に食品から生じる蒸気を外部に逃がすための蒸気弁が蓋体に設けられている商品が多く見られる。
【０００４】
特許文献１乃至４には、電子レンジを用いて加熱調理を行うための容器が開示されている。
【先行技術文献】
【特許文献】
【０００５】
【特許文献１】特許第４５４７３９９号公報
【特許文献２】特許第３６５８９１７号公報
【特許文献３】特許第３３６４４３５号公報
【特許文献４】特許第３１６３１６８号公報
【発明の概要】
【発明が解決しようとする課題】
【０００６】
ところで、容器に収容された食品を電子レンジに入れて加熱する場合、容器の上方側と下方側との間で加熱ムラが発生しやすく、容器の下方側では食品が柔らかくなりすぎるという問題があった。
【０００７】
本件発明者らは、この原因について鋭意研究を重ねた結果、以下の知見を得るに至った。
【０００８】
すなわち、食品を容器ごと電子レンジに入れて加熱する場合、加熱された食品から生じる蒸気は、容器の上方側では蒸気弁を通って外部に逃げることができるが、容器の下方側では外部に逃げることができずに滞留する。そのため、容器の下方側に水分が偏ることになり、容器の下方側では食品が水分を過剰に含みやすくなる。また、容器の下方側に水分が偏ることで、容器の下方側ではマイクロ波の作用が大きくなり、食品が過剰に加熱されやすくなる。そして、食品が水分を過剰に含みやすくなることと過剰に加熱されやすくなることとの相乗効果によって、容器の下方側では食品が柔らかくなりすぎる。一方、容器の上方側では、蒸気が蒸気弁を通って外部に逃げることで、食品が乾きやすくなる。また、食品が乾きやすくなることにより、マイクロ波の作用が小さくなり、食品が十分に加熱されづらくなる。そして、食品が乾きやすくなることと十分に加熱されづらくなることとの相乗効果によって、容器の下方側では食品が硬くなりやすくなる。これらにより、容器の上方側と下方側との間で加熱ムラが発生しやすくなるものと考えられる。
【０００９】
本発明は、以上の知見に基づいて創案されたものである。本発明の目的は、食品を容器ごと電子レンジに入れて加熱する際に、容器の下方側において食品が柔らかくなりすぎず、全体に適度な水分でムラなく加熱することができる容器を提供することにある。
【課題を解決するための手段】
【００１０】
本発明は、上方開口を有する容器本体と、前記容器本体の上方開口を覆う蓋体と、を備え、前記容器本体は、前記蓋体と共に収容空間を画成する内壁部と、前記内壁部の外側に配置された外壁部と、を有し、前記内壁部と前記外壁部との間には壁間空間が画成され、前記内壁部の上方部には、前記収容空間と前記壁間空間とを連通する第１開口部と第２開口部とが形成され、前記第２開口部は、前記第１開口部より下方に位置していることを特徴とする容器である。
【００１１】
本発明によれば、食品を容器ごと電子レンジに入れて加熱する場合、加熱中に食品から生じる蒸気は、収容空間の下方側では、第２開口部を通って壁間空間に流出し、収容空間内に滞留することが抑制される。また、壁間空間へ流出する蒸気は、第１開口部を通って収容空間の上方側に戻される。このように容器内において蒸気が循環されることで、容器の上方側において食品が乾きやすくなることが抑制されるとともに、容器の下方側において食品が水分を過剰に含みやすくなることが抑制され、結果的に、容器の下方側において食品が柔らかくなりすぎず、全体に適度な水分でムラなく加熱することができる。
【００１２】
また、好ましくは、前記内壁部の下方部は、前記第２開口部が形成された下方周縁部と、前記下方周縁部より内側に位置する下方中央部と、を有し、前記下方中央部は、前記下方周縁部に対して上向きに突き出ている。このような態様によれば、収容空間の下方側では、食品がドーナツ状に収容されるため、食品の表面積が大きくなり、容器の中央側と周縁側との間で加熱ムラが生じることが低減され得る。
【００１３】
また、好ましくは、前記蓋体は、下向きに突き出る複数の微小突起を有する。このような態様によれば、加熱された食品から生じる蒸気は、蓋体に接触して凝縮した後、各微小突起から分散して落滴する。これにより、蓋体の或る１箇所から集中して落滴することが抑制され、収容空間に収容された食品のうち当該或る１箇所の真下部分に水分が偏ることを防止できる。
【発明の効果】
【００１４】
本発明によれば、食品を容器ごと電子レンジに入れて加熱する際に、容器の下方側において食品が柔らかくなりすぎず、全体に適度な水分でムラなく加熱することができる。
【図面の簡単な説明】
【００１５】
【図１】図１は、本発明の第１の実施の形態による容器を示す斜視図である。
【図２】図２は、図１の容器において容器本体と蓋体とが分離された状態を示す斜視図である。
【図３】図３は、図２の容器においてさらに容器本体の内壁部と外壁部とが分離された状態を示す斜視図である。
【図４】図４は、図１の容器の上面図である。
【図５】図５は、図４の容器のＡ−Ａ線に沿った断面図である。
【図６】図６は、図４の容器のＢ−Ｂ線に沿った断面図である。
【図７】図７は、図６の容器において符号Ｃが付された一点鎖線で囲んだ部分を拡大して示す断面図である。
【図８】図８は、図１の容器における容器本体の上面図である。
【図９】図９は、図１の容器における蓋体を下方から見た斜視図である。
【図１０】図１０は、図１の容器において、蒸気の動きを説明するための概略図である。
【図１１】図１１は、図５に対応する図であって、本発明の第２の実施の形態による容器を示す断面図である。
【図１２】図１２は、第１の実施の形態による容器における第２開口部の変形例を説明するための内壁部の上面図である。
【図１３】図１３は、図１２の内壁部のＣ−Ｃ線に沿った断面図である。
【図１４】図１４は、図１３に対応する図であって、第２の実施の形態による容器における第２開口部の変形例を説明するための内壁部の断面図である。
【発明を実施するための形態】
【００１６】
以下、図面を参照して本発明の実施の形態について説明する。
【００１７】
図１は、本実施の第１の実施の形態による容器１０を示す斜視図である。図２は、図１の容器１０において容器本体１１と蓋体１２とが分離された状態を示す斜視図である。図３は、図２の容器１０においてさらに容器本体１１の内壁部３１と外壁部３２とが分離された状態を示す斜視図である。図４は、図１の容器１０の上面図である。図５は、図４の容器１０のＡ−Ａ線に沿った断面図である。図６は、図４の容器１０のＢ−Ｂ線に沿った断面図である。図７は、図６の容器において符号Ｃが付された一点鎖線で囲んだ部分を拡大して示す断面図である。図８は、図１の容器１０における容器本体１１の上面図である。図９は、図１の容器１０における蓋体１２を下方から見た斜視図である。
【００１８】
図１乃至図９に示すように、本実施の形態による容器１０は、上方開口１３を有する容器本体１１と、容器本体１１の上方開口１３を覆う蓋体１２と、を備えている。容器本体１１および蓋体１２は、電子レンジのマイクロ波を透過可能な材料から形成されており、例えばポリプロピレン等の樹脂から形成されている。
【００１９】
このうち容器本体１１は、蓋体１２と共に収容空間２１を画成する内壁部３１と、内壁部３１の外側に配置された外壁部３２と、を有している。図５および図６に示すように、内壁部３１と外壁部３２との間には壁間空間２２が画成されている。
【００２０】
より詳しくは、図７に示すように、内壁部３１の上端部には、外向きに突き出るリング状のフランジ部３１ｃが設けられており、外壁部の３２ｃの上端部にも、外向きに突き出るリング状のフランジ部３２ｃが設けられている。また、外壁部３２のフランジ部３２ｃ上には筒状の支持部３２ｄが上向きに突き出るように設けられており、内壁部３１のフランジ部３１ｃは、外壁部３２の支持部３２ｄ上に支持されている。  図５および図６に示すように、収容空間２１と壁間空間２２とを連通する第１開口部２３第２開口部２４とが形成されている。
【００２１】
内壁部３１の高さ方向の真ん中より上側部分を上方部と呼び、内壁部３１の高さ方向の真ん中より下側部分を下方部と呼ぶと、第１開口部２３は、内壁部３１の上方部に形成され、第２開口部２４は、内壁部３１の下方部に形成されていることが好ましい。内壁部３１を高さ方向に３分割したときに、両端部分に挟まれた真ん中の部分より上側の部分に第１開口部２３が形成され、真ん中の部分より下側の部分に第２開口部２４が形成されていることがより好ましい。また、内壁部３１に食品の収容量の目安を示す目盛り（目印）が設けられている場合には、当該目盛り（目印）より上側の部分に第１開口部２３が形成され、当該目盛り（目印）より下側の部分に第２開口部２４が形成されていることが好ましい。  図示された例では、第１開口部２３は、内壁部３１のフランジ部３１ｃを厚み方向に貫通して形成されている。一方、第２開口部２４は、内壁部３１の下端部（底部とも言う）を厚み方向に貫通して形成されている。
【００２２】
このように内壁部３１の下方側に第２開口部２４が形成されていることで、収容空間２１の下方側で生じる蒸気は、第２開口部２４を通って壁間空間２２に流出できるようになっている。また、内壁部３１の上方側に第１開口部２３が形成されていることで、壁間空間２２内の蒸気は、第１開口部２３を通って収容空間２１の上方側に流入できるようになっている。
【００２３】
本実施の形態では、内壁部３１の下方部は、第２開口部２４が形成された下方周縁部３１ａと、下方周縁部３１ａより内側に位置する下方中央部３１ｂと、を有している。下方中央部３１ｂは、下方周縁部３１ａに対して上向きに突き出ている。これにより、収容空間２１に収容される食品は、収容空間２１の下方側ではドーナツ状に配置されるようになっている。
【００２４】
図示された例では、外壁部３２の下方部も、内壁部３１の下方周縁部３１ａに対向する下方周縁部３２ａと、下方周縁部３２ａより内側に位置する下方中央部３２ｂと、を有している。下方中央部３２ｂは、下方周縁部３２ａに対して上向きに突き出ている。これにより、壁間空間２２の高さは、周縁部と中央部との間でほぼ等しくなっている。
【００２５】
内壁部３１の下方中央部３１ｂには、収容空間２１と壁間空間２２とを連通する第３開口部２５が形成されている。収容空間２１側の圧力が壁間空間２２側の圧力より大きい場合には、収容空間２１内の蒸気が第３開口部２５を通って壁間空間２２に流出する。一方、収容空間２１側の圧力が壁間空間２２側の圧力より小さい場合には、壁間空間２２内の蒸気が第３開口部２５を通って収容空間２１に流入する。
【００２６】
本実施の形態では、図３に示すように、内壁部３１と外壁部３２とは、互いに分離可能である。内壁部３１と外壁部３２とは、例えば射出成型によって別体に成形されている。
【００２７】
次に、蓋体１２の構造について説明する。
【００２８】
図１乃至図７に示すように、蓋体１２は、略円板形状を有しており、蓋体１２の外周部には、下向きに延びるように筒状部１２ｃが設けられている。筒状部１２ｃの下端部は、外壁部３２のフランジ部３２ｃに嵌合可能となっている。容器本体１１の上方開口１３を覆うように蓋体１２が被せられた状態で、筒状部１２ｃの下端部が外壁部３２のフランジ部３２ｃに嵌合されることで、収容空間２１が密封されるようになっている。
【００２９】
蓋体１２は、第１開口部２３に対向する第１環状部１２ａと、第１環状部１２ａの内周側に隣接して位置する第２環状部１２ｂと、を有している。図５乃至図７に示すように、第２環状部１２ｂは、外周側端部の高さ位置が内周側端部の高さ位置より高くなるように傾斜している。これにより、第１開口部２３から第１環状部１２ａに向かって収容空間２１に流出する蒸気は、第２環状部１２ｂの傾斜に沿って下向きに誘導されるようになっている。
【００３０】
図示された例では、第２環状部１２ｂの内周側に隣接して、開閉可能な蒸気弁１４が設けられている。蒸気弁１４は、蓋体１２を厚み方向に貫通する蒸気穴と、蒸気穴に取付可能な栓部材と、を有している。栓部材は、蓋体１２の筒状部１２ｃの下端部にヒンジ状に連結されている。栓部材が蒸気穴に取付けられることで、蒸気弁１４が閉塞されるようになっている。一方、栓部材が蒸気穴から取り外されることで、蒸気弁１４が開放されるようになっている。
【００３１】
図５、図６および図９に示すように、蓋体１２は、下向きに突き出る複数の微小突起１６を有している。図示された例では、微小突起１６は、第２環状部１２ｂより内側の領域に設けられており、互いに等間隔に分散するように位置決めされている。これにより、蓋体１２に接触して凝縮した水分を、各微小突起１６から分散して落滴することができる。
【００３２】
次に、このような構成からなる本実施の形態の作用について説明する。
【００３３】
まず、図２に示すように、容器本体１１から蓋体１２が取り外され、容器本体１１の上方開口１３が開放される。そして、容器本体１１の上方開口１３から加熱調理済みの食品（例えば、ご飯）が入れられる。そして、図１に示すように、容器本体１１の上方開口１３を覆うように蓋体１２が被せられ、筒状部１２ｃの下端部が外壁部３２のフランジ部３２ｃに嵌合される。これにより、容器１０の収容空間２１は、食品が収容された状態で密封される。その後、収容された食品は容器１０ごと冷凍庫または冷蔵庫に入れられて低温保存される。
【００３４】
容器１０に収容された食品を食べる時には、食品は容器１０ごと冷凍庫または冷蔵庫から取り出される。そして、蓋体１２に設けられた蒸気弁１４が開放された状態で、電子レンジに入れられて解凍または再加熱される。
【００３５】
図１０は、容器１０における蒸気の動きを説明するための概略図である。図１０では、説明の便宜上、第１開口部２３と第２および第３開口部２４，２５とが同一断面上にまとめて図示されているが、実際は、図８に示すように、第１開口部２３と第２および第３開口部２４，２５とは同一断面上に形成されていない、ということに留意すべきである。
【００３６】
収容空間２１の上方側では、加熱中に食品から生じる蒸気の一部は、蒸気弁１４を通って外部に流出し、収容空間２１内の圧力が過剰に高まることが抑制される。また、図１０に示すように、蓋体１２に接触して凝縮する蒸気は、蓋体１２に設けられた複数の微小突起１６から分散して落滴する。
【００３７】
一方、収容空間２１の下方側では、加熱中に食品から生じる蒸気は、第２開口部２４を通って壁間空間２２に流出し、収容空間２１内に滞留することが抑制される。図１０において、符号Ｄは、蒸気の流れる向きを示している。
【００３８】
収容空間２１の下方側から第２開口部２４を通って壁間空間２２に流出する蒸気は、壁間空間２２を上昇した後、第１開口部２３を通って収容空間２１の上方側に戻される。このように容器１０内において蒸気が循環されることで、容器１０の下方側に水分が偏ることが抑制される。本実施の形態では、第１開口部２３から蓋体１２の第１環状部１２ａに向かって流出する蒸気は、第２環状部１２ｂの傾斜に沿って下向きに誘導されるため、容器１０内における蒸気の循環が一層促進され得る。
【００３９】
以上のように本実施の形態によれば、食品を容器１０ごと電子レンジに入れて加熱する場合、加熱中に食品から生じる蒸気は、収容空間２１の下方側では、第２開口部２４を通って壁間空間２２に流出し、収容空間２１内に滞留することが抑制される。また、壁間空間２２へ流出する蒸気は、第１開口部２３を通って収容空間２１の上方側に戻される。このように容器１０内において蒸気が循環されることで、容器１０の上方側において食品が乾きやすくなることが抑制されるとともに、容器１０の下方側において食品が水分を過剰に含みやすくなることが抑制され、結果的に、容器１０の下方側において食品が柔らかくなりすぎず、全体に適度な水分でムラなく加熱することができる。
【００４０】
また、本実施の形態によれば、内壁部３１の下方中央部３１ｂが下方周縁部３１ａに対して上向きに突き出ているため、収容空間２１の下方側では、食品がドーナツ状に収容され、食品の表面積が大きくなる。これにより、容器の中央側と周縁側との間で加熱ムラが生じることが低減され得る。
【００４１】
また、本実施の形態によれば、蓋体１２の第２環状部１２ｂが外周側端部の高さ位置が内周側端部の高さ位置より高くなるように傾斜しているため、内壁部３１の第１開口部２３から第１環状部１２ａに向かって収容空間２１に流出する蒸気は、第２環状部１２ｂの傾斜に沿って下向きに誘導される。これにより、容器１０内における蒸気の循環が促進され得る。
【００４２】
また、本実施の形態によれば、蓋体１２に複数の微小突起１６が設けられているため、加熱された食品から生じる蒸気は、蓋体１２に接触して凝縮した後、各微小突起１６から分散して落滴する。これにより、蓋体１２の或る１箇所から集中して落滴することが抑制され、収容空間２１に収容された食品のうち当該或る１箇所の真下部分に水分が偏ることが防止され得る。
【００４３】
なお、本実施の形態では、図５に示すように、内壁部３１の下方中央部３１ｂが下方周縁部３１ａに対して上向きに突き出ていたが、これは必ずしも必須では無く、図１１に示すように、内壁部３１の下方中央部３１ｂが下方周縁部３１ａと同じ高さ位置に位置決めされていてもよい（本発明による第２の実施の形態）。
【００４４】
また、本実施の形態では、図４および図５ならびに図１１に示すように、第１開口部２３および第２開口部２４は、それぞれ、丸穴形状を有していたが、これに限定されない。例えば、図１２および図１３ならびに図１４に示すように、第２開口部２４が内壁部３１に沿って高さ方向に延びるスリット形状を有していてもよい。
【００４５】
次に、各実施の形態を用いて検証した具体的な実施例について説明する。
【００４６】
まず、計量カップ３杯の供試米（平成２５年  新潟県産  コシヒカリ  精米）が用意され、１Ｌの水が加えられて手で１５秒間撹拌された後に水切りされるという洗米作業が合計で５回繰り返され、炊飯ジャー（タイガー魔法瓶製  ＪＫＴ−Ｂ１００）に入れられて、炊飯ジャーの「白米３合目目盛」まで加水され、５分間水に浸漬され、炊飯ジャーによって炊飯され、１５分間の蒸らしが行われることで、炊飯米（ご飯）が炊飯された。
【００４７】
そして、第１実施例として、炊飯直後の炊飯米１５０ｇが、第１の実施の形態による容器１０に収容され、容器１０ごと冷凍庫で２４時間保管された後で、容器１０ごと電子レンジに入れられて、５００Ｗで３分３０秒加熱された。
【００４８】
そして、加熱された炊飯米が、以下の炊飯食味分析によって分析された。
【００４９】
すなわち、株式会社サタケ製の炊飯食味計ＳＴＡ１Ａが使用され、炊飯米に光が照射されて、その反射率および透過率が測定され、測定された数値が人間の官能データに基づいて解析され、以下の各項目について評価点が算出された。
・食味値…ご飯の美味しさの総合評価を示す値。光沢があり、透明に近い方が糊化がよく進んでおり、良い食味であると判定する。
・外観…外観の照りを見る値。炊飯米のα化が進んでいるほどキラキラ輝いて見える。
・硬さ…米粒中のたんぱく質含有量の変化を光学的に測定する。
・粘り…アミロース含有量により変化する粘りを光学的に測定する。
・バランス度…粘り／硬さを計算し、係数化した値。
【００５０】
なお、各項目は１０段階で評価され、評価点が高いほど官能評価として優れていることを示している。炊飯食味分析は５回実施され、その平均点が算出された。
【００５１】
また、第２実施例として、容器１０が第２の実施の形態による容器１０’に変更された点以外は第１実施例と同じ条件で、炊飯食味分析が行われた。
【００５２】
また、第１比較例として、容器１０が市販品のご飯容器（エビス株式会社製  ＰＳ−ＡＧ９６  ごはん保存容器）に変更された点以外は第１実施例と同じ条件で、炊飯食味分析が行われた。
【００５３】
また、第２比較例として、炊飯直後の炊飯米が、炊飯食味分析によって分析された。
【００５４】
以上の第１実施例、第２実施例、第１比較例、および、第２比較例における分析結果を、下表１にまとめて示す。
【表１】
0005864681.tif 000002
【００５５】
以上の分析結果から、以下のことが確認された。
【００５６】
すなわち、ご飯の美味しさの総合評価を示す食味値において、第１実施例および第２実施例では、第１比較例および第２比較例に比べて、良い数値（大きい数値）が得られたことが確認された。したがって、第１の実施の形態による容器１０ないし第２の実施の形態による容器１０’を使用することにより、炊飯米が美味しくなったと言える。特に、第１実施例および第２実施例において、炊きたてに対応する第２比較例よりも良い結果が得られたことは、技術水準から予測される範囲を超えた顕著な効果と言える。また、第１実施例および第２実施例において、各項目における点数が互いに同じであったことが確認された。したがって、内壁部３１の底部の形状の違いは、官能評価に対する影響が少ないと言える。
【符号の説明】
【００５７】
１０    容器
１１    容器本体
１２    蓋体
１２ａ  第１環状部
１２ｂ  第２環状部
１２ｃ  筒状部
１３    上方開口
１４    蒸気弁
１６    微小突起
２１    収容空間
２２    壁間空間
２３    第１開口部
２４    第２開口部
２５    第３開口部
３１    内壁部
３１ａ  下方周縁部
３１ｂ  下方中央部
３１ｃ  フランジ部
３２    外壁部
３２ａ  下方周縁部
３２ｂ  下方中央部
３２ｃ  フランジ部
３２ｄ  支持部
【要約】
【課題】食品を容器ごと電子レンジに入れて加熱する際に、容器の下方側において食品が柔らかくなりすぎず、全体に適度な水分でムラなく加熱することができる容器を提供する。
【解決手段】上方開口１３を有する容器本体１１と、容器本体１１の上方開口１３を覆う蓋体１２と、を備えている。容器本体１１は、蓋体１２と共に収容空間２１を画成する内壁部３１と、内壁部３１の外側に配置された外壁部３２と、を有し、内壁部３１と外壁部３２との間には壁間空間２２が画成されている。内壁部３１の上方部には、収容空間２１と壁間空間２２とを連通する第１開口部２３が形成され、内壁部３１の下方部には、収容空間２１と壁間空間２２とを連通する第２開口部２４が形成されている。
【選択図】図１０【図１】
0005864681.tif 000003
【図２】
0005864681.tif 000004
【図３】
0005864681.tif 000005
【図４】
0005864681.tif 000006
【図５】
0005864681.tif 000007
【図６】
0005864681.tif 000008
【図７】
0005864681.tif 000009
【図８】
0005864681.tif 000010
【図９】
0005864681.tif 000011
【図１０】
0005864681.tif 000012
【図１１】
0005864681.tif 000013
【図１２】
0005864681.tif 000014
【図１３】
0005864681.tif 000015
【図１４】
0005864681.tif 000016